(57)【特許請求の範囲】
【請求項１】
コンバインの操縦部の上方に日除けを配置する構成において、グレンタンクの前上部の内側に補強プレートを配置し、該グレンタンクの外側に、支持ブラケットに固定した補強プレートを配置し、内側の補強プレートと外側の補強プレートを固定し、該支持ブラケットの後下部に枢支ピンを枢支し、該枢支ピンに前記支持ブラケットの間に嵌装した基部板を枢支し、該基部板は支持アームの後端部に固定し、該支持ブラケットの後上部と前下部には、上下のストッパー板が横設され、該支持ブラケットと支持アームの間に、固定用ノブネジとロックピンにより構成した切換機構を設け、該切換機構は、前記支持ブラケットの側面に、前記枢支ピンを中心とした円弧状の長孔を開口し、該長孔の前側と後側は、大径の嵌合孔とし、一方、該長孔に固定用ノブネジのネジ部が貫通して、基部板に設けた雌螺子に螺合され、該固定用ノブネジのネジ部は長孔の大きさに合わせ、根本側は前記嵌合孔の大きさに合わせた大きさとして、それぞれ嵌合可能に構成し、また、支持ブラケットの前部にはピン孔が開口されて、該ピン孔にロックピンの先端が挿入され、該ロックピンの他側は支持ブラケットの側面に固定した支持ステーに摺動自在に支持され、該ロックピンにはバネを外嵌し、該ロックピンを支持ブラケット側へ挿入するように付勢し、前記固定用ノブネジを弛めて根本側を嵌合孔から抜き、日除けを持ち上げてストッパー板に当たるまで回動すると、該ロックピンはバネの付勢力によって突出し、該日除けから手を放しても基部板の前面がロックピンに当たって受け止められるように構成したことを特徴とするコンバインの日除け収納構造。
【発明の詳細な説明】
【０００１】
【発明の属する技術分野】
本発明は、コンバインの操縦部上方の配置する日除け（サンバイザー）の収納構造の改良技術に関する。
【０００２】
【従来の技術】
近年コンバインの操縦部の上方に日除けを配置して、オペレーターが快適に作業ができるようにした仕様のコンバインが存在する。この日除けは運転席後部のグレンタンク（またはトップサッカ）の前面上部に支持ブラケットが固定されて、該ブラケットより前上方に日除けが突出され、操縦部上方を覆う構成とし、格納時や上方に障害物があるときには、日除けを後方へ回動して収納する構成としていた。この日除け２０の収納構造は、図７に示すように、運転席１０後部のグレンタンク８の前上部に支持ブラケット１１が固定されて、該支持ブラケット１１に枢支ピン１２によって支持アーム１３が枢支され、該支持アーム１３の先端に日除け２０が回動可能に支持され、固定ロックピンによって固定されていた。そして、ロックピンを解除して、日除け２０を後方へ回動すると、二点鎖線で示すように支持アーム１３’と日除け２０’が折り畳まれて、グレンタンク８上に沿わせて収納されるのである。
【０００３】
【発明が解決しようとする課題】
しかし、最近のコンバイン、特に、中、大型のグレンタンク仕様のコンバインにあっては、排出オーガが配設され、さらに日除けを配設したコンバインにおいて、日除け２０を収納状態のまま、誤って排出オーガ９を上昇或いは回動操作すると、日除け２０に当接して損傷を与えることがあった。即ち、排出オーガ９は斜め方向に収納されているために、日除け２０をあえてグレンタンク８上に収納すると、グレンタンク８上は狭いために日除け２０の前端は運転席側に突出してしまう。この問題点を解消するには、日除け２０を排出オーガと干渉しない位置まで右側にズラせて、収納する構成としなければならないので、支持アームの構成が複雑となってしまうのである。
【０００４】
また、図２の二点鎖線で示した日除け２０’は、平面視において、排出オーガ９とラップして収納されている。この場合二つの状態が考えられる。一つは日除け２０が排出オーガ９の上にある状態であり、この場合、日除け２０が収納位置のときに排出オーガ９を上昇させると、日除け２０に損傷を与え、また、排出オーガ９が収納位置のときに、日除け２０を作業位置から収納位置に回動したときに、当たってしまい、排出オーガ９を移動させなければならない。もう一つは、日除け２０が排出オーガ９の下にある状態であり、この場合、日除け２０を収納位置とするときには、排出オーガ９を収納位置から外れた位置としてから日除け２０を収納し排出オーガ９を収納しなければならず、日除け２０を作業位置とする場合には、排出オーガ９を収納位置から外れた位置としてから日除け２０を作業位置まで回動しなければならず、いずれにしても、両方法とも収納したり、作業位置に回動するときには、日除け２０は排出オーガ９の位置関係を考慮する必要があり、順序を間違えると排出オーガ９を移動させなければならず、面倒な作業となってしまうのである。
【０００５】
【課題を解決するための手段】
本発明の解決しようとする課題は以上の如くであり、次にこの課題を解決するための手段を説明する。
コンバインの操縦部の上方に日除けを配置する構成において、グレンタンクの前上部の内側に補強プレートを配置し、該グレンタンクの外側に、支持ブラケットに固定した補強プレートを配置し、内側の補強プレートと外側の補強プレートを固定し、該支持ブラケットの後下部に枢支ピンを枢支し、該枢支ピンに前記支持ブラケットの間に嵌装した基部板を枢支し、該基部板は支持アームの後端部に固定し、該支持ブラケットの後上部と前下部には、上下のストッパー板が横設され、該支持ブラケットと支持アームの間に、固定用ノブネジとロックピンにより構成した切換機構を設け、該切換機構は、前記支持ブラケットの側面に、前記枢支ピンを中心とした円弧状の長孔を開口し、該長孔の前側と後側は、大径の嵌合孔とし、一方、該長孔に固定用ノブネジのネジ部が貫通して、基部板に設けた雌螺子に螺合され、該固定用ノブネジのネジ部は長孔の大きさに合わせ、根本側は前記嵌合孔の大きさに合わせた大きさとして、それぞれ嵌合可能に構成し、また、支持ブラケットの前部にはピン孔が開口されて、該ピン孔にロックピンの先端が挿入され、該ロックピンの他側は支持ブラケットの側面に固定した支持ステーに摺動自在に支持され、該ロックピンにはバネを外嵌し、該ロックピンを支持ブラケット側へ挿入するように付勢し、前記固定用ノブネジを弛めて根本側を嵌合孔から抜き、日除けを持ち上げてストッパー板に当たるまで回動すると、該ロックピンはバネの付勢力によって突出し、該日除けから手を放しても基部板の前面がロックピンに当たって受け止められるように構成したものである。
【０００６】
【発明の実施の形態】
以下、本発明の実施例を図面に基づいて詳述する。図１はコンバインの全体側面図、図２はグレンタンクと日除けと脱穀部の平面図、図３は日除けの側面図、図４は日除けの回動基部の側面図、図５は同じく正面図、図６は日除けの正面図である。
【０００７】
図１、図２において、コンバインの全体構成から説明する。クローラー式走行装置１上にシャーシフレーム２が載置され、該シャーシフレーム２上の左側前方に刈取部Ａが突出され、該刈取部Ａは刈取フレーム４の後部が回動自在に支持され、油圧シリンダーによって昇降可能としている。該刈取フレーム４の前端には分草板３を配置し、その後部に引き起し装置Ｆを配置し、その下方には刈刃５を配置して、穀稈を分草して穀稈を引き上げて根元を刈刃５によって刈り取り、搬送装置によって後方へ搬送するようにしている。
【０００８】
刈取部Ａの後部には脱穀部Ｄが配置され、前記搬送装置によって搬送された穀稈の株元はフィードチェーン７に受け継がれ、該フィードチェーン７によって挟持搬送されながら、穂先部分は脱穀装置Ｄを通過して脱粒され、排藁はカッター装置によって切断されて圃場上に放出され、穀粒は脱穀部Ｄの下方に配置した選別装置によって選別されて、選別後の精粒は揚穀コンベアを介して脱穀部Ｄの右側に配置した穀粒収納部としてのグレンタンク８（またはトップサッカ）に収容される。
【０００９】
該グレンタンク８の後部に排出オーガ９の縦パイプ９ａが配置され、該縦パイプ９ａの上端に横パイプ９ｂが配設されて、該横パイプ９ｂは縦パイプ９を中心に左右回動でき、該縦パイプ９ａ上端を中心に上下に回動できるようにしている。そして、横パイプ９ｂ先端に排出口が設けられ、縦パイプ９ａ下端はグレンタンク８下部に設けた排出コンベアと接続されている。前記グレンタンク８の前部には運転席１０や走行レバーや主変速レバーなどを備える運転部Ｃを配置し、該運転部Ｃ下方にエンジンやトランスミッション等を配置し、該運転部Ｃの上方を日除け２０によって覆い、本発明の支持部によって収納可能としている。
【００１０】
次に本発明の日除け２０の取付構成を説明する。図３、図４、図５、図６に示すように、グレンタンク８の前上部に日除け２０を支持するために、グレンタンク８の内側に補強プレート２１が配置され、外側に補強プレート２２が配置されて、該補強プレート２１・２２によってグレンタンク８の前板と天板を挟んでボルト２３・２４によって固定している。そして、該補強プレート２２の前面と天板にかけて、支持ブラケット２５Ｌが前方に突設され、補強プレート２２の前面より支持ブラケット２５Ｒが支持ブラケット２５Ｌと平行に前方に突設されている。
【００１１】
該支持ブラケット２５Ｌ・２５Ｒの後上部と前下部には、ストッパー板２６・２７が横設され、後下部に枢支ピン２９が固定され、該枢支ピン２９に支持アーム３０の後端部に固定した基部板３０ａ・３０ａが枢支されている。この支持ブラケット２５Ｌ・２５Ｒと支持アーム３０の間に本発明の要部である切換機構が設けられている。即ち、前記支持ブラケット２５Ｌの側面には前記枢支ピン２９を中心とした円弧状の長孔２５ａが開口され、該長孔２５ａの前側と後側は大径の嵌合孔２５ｂ・２５ｃとしている。一方、該長孔２５ａに固定用ノブネジ３１のネジ部３１ａが貫通して、基部板３０ａに螺合され、該ネジ部３１ａは長孔２５ａの大きさに合わせ、根本側３１ｂは前記嵌合孔２５ｂ・２５ｃの大きさに合わせた大きさとして、それぞれ嵌合できるようにしている。
【００１２】
また、支持ブラケット２５Ｒの前部にはピン孔２５ｄが開口されて、該ピン孔２５ｄにロックピン３２の先端が挿入され、該ロックピン３２の他側は支持ブラケット２５Ｒの側面に固定した支持ステー３３に摺動自在に支持され、該ロックピン３２にはバネ３４が外嵌されて、ロックピン３２を支持ブラケット２５Ｌ側へ挿入するように付勢している。
【００１３】
このような構成において、日除け２０が高い位置の作業状態から、固定用ノブネジ３１を弛めて根本側３１ｂを嵌合孔２５ｃから抜き、ロックピン３２を外方向へ引っ張ると、支持アーム３０は枢支ピン２９を中心に下方へ回動することができ、基部板３０ａの下端がストッパー板２７に当たるまで回動すると、日除け２０を収納位置とすることができる。そして、固定用ノブネジ３１を締め付けると、根本側３１ｂが嵌合孔２５ｂに入り、日除け２０を低い位置の収納位置で固定することができる。
【００１４】
逆に、作業位置とするときには、固定用ノブネジ３１を弛めて根本側３１ｂを嵌合孔２５ｂから抜き、日除け２０を持ち上げてストッパー板２６に当たるまで回動すると、ロックピン３２はバネ３４の付勢力によって突出し、日除け２０から手を放しても基部板３０ａの前面がロックピン３２に当たって受け止められる。そして、固定用ノブネジ３１を締め付けると、根本側３１ｂが嵌合孔２５ｃに入り、日除け２０を高い位置の作業位置に固定することができる。
【００１５】
そして、前記グレンタンク８より前上方へ突出された支持アーム３０の前端には日除け２０が上下に回動可能に取り付けられており、図３、図６に示すように、日除け２０のルーフ２０ａを支持するフレーム２０ｂの後端のブラケット２０ｃは支持アーム３０の前端上部に設けた枢支ピン３５によって枢支され、該ブラケット２０ｃと支持アーム３０との間には弾性部材３６、本実施例ではガススプリングが介装されて、前記枢支ピン３５を中心に回動したときに急激に回動しないようにするとともに、日除け２０を上方へ回動するように付勢して、日除け２０を収納位置から作業位置に回動するときに、オペレーターの手助けとなり大きな力を必要とせずに回動できるようにしている。そして、前記フレーム２０ｂの前部には把手３７が配設されている。
【００１６】
【発明の効果】
本発明は、以上のように構成したので、次のような効果を奏するものである。
コンバインの操縦部の上方に日除けを配置する構成において、グレンタンクの前上部の内側に補強プレートを配置し、該グレンタンクの外側に、支持ブラケットに固定した補強プレートを配置し、内側の補強プレートと外側の補強プレートを固定し、該支持ブラケットの後下部に枢支ピンを枢支し、該枢支ピンに前記支持ブラケットの間に嵌装した基部板を枢支し、該基部板は支持アームの後端部に固定し、該支持ブラケットの後上部と前下部には、上下のストッパー板が横設され、該支持ブラケットと支持アームの間に、固定用ノブネジとロックピンにより構成した切換機構を設け、該切換機構は、前記支持ブラケットの側面に、前記枢支ピンを中心とした円弧状の長孔を開口し、該長孔の前側と後側は、大径の嵌合孔とし、一方、該長孔に固定用ノブネジのネジ部が貫通して、基部板に設けた雌螺子に螺合され、該固定用ノブネジのネジ部は長孔の大きさに合わせ、根本側は前記嵌合孔の大きさに合わせた大きさとして、それぞれ嵌合可能に構成し、また、支持ブラケットの前部にはピン孔が開口されて、該ピン孔にロックピンの先端が挿入され、該ロックピンの他側は支持ブラケットの側面に固定した支持ステーに摺動自在に支持され、該ロックピンにはバネを外嵌し、該ロックピンを支持ブラケット側へ挿入するように付勢し、前記固定用ノブネジを弛めて根本側を嵌合孔から抜き、日除けを持ち上げてストッパー板に当たるまで回動すると、該ロックピンはバネの付勢力によって突出し、該日除けから手を放しても基部板の前面がロックピンに当たって受け止められるように構成したので、日除けの収納位置と作業位置との切換は上下に回動するだけでよくなり、操作が簡単となり、日除けを下げた収納状態では、排出オーガの回動と干渉することがなくなり、排出オーガや他の部品に損傷を与えることがなくなったのである。
また、排出オーガの回動操作や収納操作に対して、日除けの収納順序及び位置を確認する等の手間を減少することができ、日除けの収納位置と作業位置への切換を簡単に行える。
さらに、このような構成において、日除け２０が高い位置の作業状態から、固定用ノブネジ３１を弛めて根本側３１ｂを嵌合孔２５ｃから抜き、ロックピン３２を外方向へ引っ張ると、支持アーム３０は枢支ピン２９を中心に下方へ回動することができ、基部板３０ａの下端がストッパー板２７に当たるまで回動すると、ロックピン３２はバネ３４の付勢力によって突出し、日除け２０から手を放しても基部板３０ａの前面がロックピン３２に当たって受け止められ日除け２０を収納位置とすることができる。
そして、固定用ノブネジ３１を締め付けると、根本側３１ｂが嵌合孔２５ｂに入り、日除け２０を低い位置の収納位置で固定し、逆に、作業位置とするときには、固定用ノブネジ３１を弛めて根本側３１ｂを嵌合孔２５ｂから抜き、。そして、固定用ノブネジ３１を締め付けると、根本側３１ｂが嵌合孔２５ｃに入り、日除け２０を高い位置の作業位置に固定可能としたことを特徴とする。
【図面の簡単な説明】
【図１】  コンバインの全体側面図である。
【図２】  グレンタンクと日除けと脱穀部の平面図である。
【図３】  日除けの側面図である。
【図４】  日除けの回動基部の側面図である。
【図５】  同じく正面図である。
【図６】  日除けの正面図である。
【図７】  従来の日除けを配置したコンバインの全体側面図である。
【符号の説明】
８    グレンタンク
２０  日除け
２５  支持ブラケット
３０  支持アーム
【図１】
0004015224.tif 000002
【図２】
0004015224.tif 000003
【図３】
0004015224.tif 000004
【図４】
0004015224.tif 000005
【図５】
0004015224.tif 000006
【図６】
0004015224.tif 000007
【図７】
0004015224.tif 000008